(57)【特許請求の範囲】
【請求項１】
静止保持される複数の糸巻き付け面形成体により形成された環状の糸巻き付け面と緯糸係止体との係脱作用によって緯糸の測長貯留及び前記糸巻き付け面からの緯糸引き出しを制御し、前記糸巻き付け面の半径方向へ位置変位可能に前記複数の糸巻き付け面形成体を環状に配列した緯糸測長貯留装置の測長貯留量調整装置において、
前記複数の糸巻き付け面形成体を支持する支持基板に対して着脱される円板形状の基枠と、
前記基枠に取り付け位置変更可能に取り付けられる指示体と、
前記指示体を前記基枠に取り付け位置変更可能に取り付けるための取り付け手段とを備え、
前記支持基板は、磁石の吸引力により静止保持されるとともに、前記複数の糸巻き付け面形成体が固定される前面と、前記前面より前方に突設される筒部とを備え、前記筒部に前記基枠の背面に形成された円形の凹部を嵌合した状態では、前記糸巻き付け面形成体が前記指示体に当接して前記糸巻き付け面の拡径方向又は縮径方向への移動を規制されると共に、前記糸巻き付け面形成体と前記指示体との当接によって前記支持基板に対する前記糸巻き付け面形成体の被支持位置を規定するようにした織機における緯糸測長貯留装置の測長貯留量調整装置。
【請求項２】
前記糸巻き付け面形成体は、前記糸巻き付け面形成体の糸巻き付け面を形成する糸係合面と前記指示体との当接によって前記糸巻き付け面の拡径方向への移動を規制される請求項１に記載の織機における緯糸測長貯留装置の測長貯留量調整装置。
【請求項３】
前記取り付け手段は、前記凹部の半径方向にのみ位置変更可能に前記基枠に前記指示体を嵌め込む嵌め込み手段と、前記凹部の半径方向へ位置変更可能に前記基枠に前記指示体を嵌め込んだ状態で締め付け固定するねじ止め手段とからなる請求項１又は２に記載の織機における緯糸測長貯留装置の測長貯留量調整装置。
【発明の詳細な説明】
【０００１】
【発明の属する技術分野】
本発明は、複数の糸巻き付け面形成体により形成された環状の糸巻き付け面と緯糸係止体との係脱作用によって緯糸の測長貯留及び前記糸巻き付け面からの緯糸引き出しを制御し、前記糸巻き付け面の半径方向へ位置変位可能に前記複数の糸巻き付け面形成体を環状に配列した緯糸測長貯留装置の測長量調整に関するものである。
【０００２】
【従来の技術】
実開平３−１１１５８５号公報、特開２０００−７３２５５号公報に開示される巻き付け方式の緯糸測長貯留装置では、緯糸を巻き付けるためのドラムが複数のドラム片によって構成されている。これらのドラム片は、測長量と貯留量、又は貯留量のみ（以下、測長貯留量という）を変更可能にするために径方向に移動可能になっている。実開平３−１１１５８５号公報における複数のドラム片は、リンク機構を用いて径方向に同時に位置変位可能である。特開２０００−７３２５５号公報における複数のドラム片は、カム機構を用いて径方向に同時に位置変位可能である。
【０００３】
ドラム片を保持するためのドラムホルダは、ドラムの周囲で周回される糸ガイドを駆動するための回転軸に軸受けを介して相対回転可能に支持されている。ドラムホルダは、磁力を用いて回転軸の回転に関係なく静止保持される。
【０００４】
【発明が解決しようとする課題】
ドラムホルダ側を回転軸の回転に追随しないように静止保持することは、測長精度を高める上で重要である。ドラム片を径方向に移動して測長貯留量を調整するための測長貯留量調整機構は、ドラムホルダ側にある。測長貯留量調整機構の重量は、ドラム片及びドラムホルダの重量と共に軸受けを介して回転軸で受け止められる。ドラムホルダ側の重量が大きいほど、ドラムホルダ側を回転軸の回転に追随させないようにするための磁力を強くする必要がある。そのため、測長貯留量調整機構の存在は、磁力の強化を要求する。磁力の強化は、かなりのコストアップをもたらす。
【０００５】
本発明は、コストに関して有利な測長貯留量調整装置を提供することを目的とする。
【０００６】
【課題を解決するための手段】
そのために本発明は、静止保持される複数の糸巻き付け面形成体により形成された環状の糸巻き付け面と緯糸係止体との係脱作用によって緯糸の測長貯留及び前記糸巻き付け面からの緯糸引き出しを制御し、前記糸巻き付け面の半径方向へ位置変位可能に前記複数の糸巻き付け面形成体を環状に配列した緯糸測長貯留装置の測長貯留量調整装置を対象とし、請求項１の発明では、前記複数の糸巻き付け面形成体を支持する支持基板に対して着脱される円板形状の基枠と、前記基枠に取り付け位置変更可能に取り付けられる指示体と、前記指示体を前記基枠に取り付け位置変更可能に取り付けるための取り付け手段とを備えた測長貯留量調整装置を構成し、前記支持基板は、磁石の吸引力により静止保持されるとともに、前記複数の糸巻き付け面形成体が固定される前面と、前記前面より前方に突設される筒部とを備え、前記筒部に前記基枠の背面に形成された円形の凹部を嵌合した状態では、前記糸巻き付け面形成体が前記指示体に当接して前記糸巻き付け面の拡径方向又は縮径方向への移動を規制されると共に、前記糸巻き付け面形成体と前記指示体との当接によって前記支持基板に対する前記糸巻き付け面形成体の被支持位置を規定するようにした。
【０００７】
測長貯留量調整装置は、緯糸測長貯留装置の支持基板の筒部に対して着脱できる。従って、複数台の織機に用いられている複数の緯糸測長貯留装置における測長貯留量調整を１個の測長貯留量調整装置で遂行することができる。緯糸測長貯留装置の使用時には測長貯留量調整装置の重量が糸巻き付け面側に加わることはない。従って、測長貯留量調整機構が緯糸測長貯留装置に常時装着されている従来装置に比べ、糸巻き付け面側を回転軸の回転に追随させないようにするための磁力は弱くて済む。また、支持基板の筒部に基枠を嵌合する構成は、緯糸測長貯留装置に測長貯留量調整装置を装着する上で簡便である。
【０００８】
請求項２の発明では、請求項１において、前記糸巻き付け面形成体は、前記糸巻き付け面形成体の糸巻き付け面を形成する糸係合面と前記指示体との当接によって前記糸巻き付け面の拡径方向への移動を規制されるようにした。
【０００９】
糸巻き付け面を形成する糸係合面を基準にして測長貯留量の調整が行われるため、高い調整精度が得られる。
【００１１】
請求項３の発明では、請求項１及び請求項２のいずれか１項において、前記取り付け手段は、前記凹部の半径方向にのみ位置変更可能に前記基枠に前記指示体を嵌合する嵌合手段と、前記凹部の半径方向へ位置変更可能に前記基枠に前記指示体を撥ね込んだ状態で締め付け固定するねじ止め手段とから構成した。
【００１２】
基枠の凹部の径中心部を筒部の凸部の径中心部に合致させれば、指示体は糸巻き付け面の径方向にのみ位置変更可能となる。ねじ止め手段は、基枠に指示体を止着する上で簡便な手段である。
【００１３】
【発明の実施の形態】
以下、本発明を具体化した第１の実施の形態を図１〜図４に基づいて説明する。
【００１４】
図１に示す１１は駆動源となるモータであり、モータ１１の作動により回転軸１２が回転する。モータ１１は図示しない支持ブラケット上に支持されている。回転軸１２には糸巻き付け管１３が斜交して接続されている。回転軸１２内には基端から中間部にかけて糸通路１２１が形成されており、糸巻き付け管１３内の糸通路１３１が糸通路１２１に接続している。モータ１１の前面には非磁性体製のカバー１４が止着されており、回転軸１２の先端部には非磁性体製の円環状の支持基板１５がベアリング１６を介して相対回転可能に支持されている。支持基板１５の前面には円筒形状（即ち、円周面体形状）の筒部１５１が突設されている。筒部１５１と回転軸１２との間にはベアリング２０が介在されている。
【００１５】
カバー１４と支持基板１５との対向面には磁石１７，１８が対向して止着されている。磁石１７，１８は互いに吸引し合い、この吸引力によって支持基板１５がカバー１４に対して静止保持される。回転軸１２に止着された糸巻き付け管１３はカバー１４と支持基板１５との間を周回する。
【００１６】
図２に示すように、支持基板１５の前面には複数の糸巻き付け面形成体１９がねじ２１によって締め付け固定されている。糸巻き付け面形成体１９は、基部１９１と、測長部１９２とからなる。複数の測長部１９２の表面は、糸巻き付け面の一部となる凸弧面としての円弧面形状の糸係合面１９３となっている。糸係合面１９３は、略円形状の糸巻き付け面を形成する。糸巻き付け管１３は支持基板１５の周囲を周回し、糸通路１２１，１３１を通された緯糸Ｙが糸巻き付け面に巻き付けられる。支持基板１５は、複数の糸巻き付け面形成体１９を支持する支持部となる。筒部１５１は、前記支持部に設けられた円周面体形状の凸部となる。
【００１７】
基部１９１には長孔１９４が形成されている。ねじ２１は、長孔１９４を通って支持基板１５に螺合されている。長孔１９４は、糸巻き付け面形成体１９を支持基板１５の半径方向、即ち糸巻き付け面の半径方向への取り付け位置の変更を可能にする。
【００１８】
１つの糸巻き付け面形成体１９の近傍には電磁ソレノイド２２が配設されており、緯糸係止体２２１が電磁ソレノイド２２の励消磁により駆動される。緯糸係止体２２１は糸巻き付け面形成体１９上の孔１９５に出入りし、糸巻き付け管１３から繰り出される緯糸Ｙが緯糸係止体２２１の係止作用によって糸巻き付け面上に巻き付け貯留される。緯糸係止体２２１が孔１９５から離脱すれば糸巻き付け面上の巻き付け糸の引き出しが可能となる。電磁ソレノイド２２は、孔１９５を備えた糸巻き付け面形成体１９の半径方向への位置変更に応じて同じだけ半径方向へ位置変更できるようになっている。
【００１９】
図３（ａ），（ｂ）は、測長貯留量調整装置２６を示し、図４は測長貯留量調整装置２６の分解斜視図である。測長貯留量調整装置２６は、支持基板１５の筒部１５１に嵌合される円板形状の基枠２３と、基枠２３に取り付け位置変更可能に取り付けられる指示体２４と、基枠２３に指示体２４を締め付け固定するねじ２５とからなる。
【００２０】
図３（ｂ）に示すように、基枠２３の背面には円形の凹部２３１が形成されている。凹部２３１の径と筒部１５１の外径とは略同一であり、支持基板１５の筒部１５１は、凹部２３１に嵌合する。筒部１５１と凹部２３１とが嵌合した状態では、凹部２３１の径中心は、筒部１５１の径中心、即ち回転軸１２の回転中心軸線Ｌ（図１に図示）に一致する。図４に示すように、基枠２３の前面には支持溝２３２が凹部２３１の半径方向に延びるように形成されている。凹部２３１の径中心は、支持溝２３２の幅の中心にある。
【００２１】
合成樹脂製の指示体２４は、支持溝２３２に嵌めこまれている。指示体２４を支持溝２３２に嵌め込んだ状態では、指示体２４の前面と基枠２３の前面とは、面一となる。指示体２４の幅は、支持溝２３２の幅と同程度、かつ支持溝２３２に沿ってスライド可能に設定されている。支持溝２３２は、凹部２３１の半径方向にのみ位置変更可能に基枠２３に指示体２４を嵌め込む嵌め込み手段となる。指示体２４には指示印Ｔが刻設されており、基枠２３の前面には目盛りＭが刻設されている。
【００２２】
指示体２４の先端部には位置規制片２４１が直角に折曲した状態に形成されている。位置規制片２４１の裏面は、円弧面形状の規制面２４２となっている。凹弧面である規制面２４２の円弧面の円弧半径は、測長部１９２の糸係合面１９３の円弧面の円弧半径と同じにしてある。従って、規制面２４２と糸係合面１９３とは面接触可能である。
【００２３】
指示体２４には一対の長孔２４３，２４４が直列状態に形成されている。ねじ２５は、長孔２４４を通って基枠２３に螺合されている。ねじ２５を締め付けると、ねじ２５の頭部２５１が指示体２４に当接し、指示体２４が基枠２３に固定される。ねじ２５は、凹部２３１の半径方向へ位置変更可能に基枠２３に指示体２４を嵌め込んだ状態で締め付け固定するねじ止め手段となる。支持溝２３２及びねじ２５は、指示体２４を基枠２３に取り付け位置変更可能に取り付けるための取り付け手段を構成する。
【００２４】
図２に鎖線で示すように筒部１５１に基枠２３を嵌合した状態では、回転軸１２の軸線Ｌの方向に見た場合にねじ２１が長孔２４３を通して見える。長孔２４３，２４４は同形同大であり、長孔２４３，２４４の間隔は、基枠２３の半径方向にねじ２５の位置からねじ２１の位置への方向の距離に等しくなるようにしてある。
【００２５】
測長貯留量の調整は以下のように行われる。ねじ２５を緩めた状態で所望の織布の織幅に応じた目盛りＭの位置に指示印Ｔを合わせるように基枠２３に対して指示体２４を位置決めした後、ねじ２５を締めて基枠２３に指示体２４を固定する。次に、複数の糸巻き付け面形成体１９のうちの１つを締め付けているねじ２１を緩めて糸巻き付け面形成体１９を支持基板１５の径中心に近づけておき、筒部１５１に基枠２３を嵌合する。そして、測長部１９２が位置規制片２４１に当接するまで糸巻き付け面形成体１９を半径方向に移動する。測長部１９２の糸係合面１９３を位置規制片２４１の規制面２４２に面接触させた後、ねじ２１を締めつけて支持基板１５に糸巻き付け面形成体１９を固定する。他の糸巻き付け面形成体１９に対しても、それらのねじ２１を緩めた後に同様の操作を行えばよい。
【００２６】
第１の実施の形態では以下の効果が得られる。
（１-1）支持基板１５を備えた緯糸測長貯留装置と同じ装置が複数の織機で用いられている場合、緯糸測長貯留装置の支持基板１５の筒部１５１に対して着脱できる測長貯留量調整装置２６は、他の複数台の織機に用いられている複数の緯糸測長貯留装置における測長貯留量調整にも使用できる。従って、緯糸測長貯留装置に測長貯留量調整機構を予め組み付けてある従来構成に比べ、緯糸測長貯留装置の支持基板１５に対して着脱できる測長貯留量調整装置２６は、織機１台当たりに関して非常に安価である。
【００２７】
（１-2）緯糸測長貯留装置の使用時、即ち測長貯留を行なっているときには測長貯留量調整装置２６は、支持基板１５から外されており、測長貯留量調整装置２６の重量が支持基板１５に加わることはない。従って、測長貯留量調整機構が緯糸測長貯留装置に常時装着されている従来装置に比べ、支持基板１５を回転軸１２の回転に追随させないようにするための磁石１７，１８の磁力は弱くて済む。即ち、磁石１７，１８は、従来よりも小型のもので済み、磁石のコストは低減する。
【００２８】
（１-3）糸巻き付け面形成体１９は、糸係合面１９３と指示体２４の規制面２４２との当接によって糸巻き付け面の拡径方向への移動を規制される。即ち、支持基板１５に対する糸巻き付け面形成体１９の被支持位置が糸係合面１９３と規制面２４２との当接によって規定される。糸巻き付け面を形成する糸係合面１９３を基準にして測長貯留量の調整が行われるため、高い調整精度が得られる。
【００２９】
（１-4）測長貯留量調整装置２６は、基枠２３と筒部１５１との凹凸の嵌合によって支持基板１５に取り付けられる。支持基板１５の筒部１５１に基枠２３を嵌合する構成は、緯糸測長貯留装置に測長貯留量調整装置２６を装着する上で簡便である。
【００３０】
（１-5）凹部２３１に筒部１５１を嵌合した状態では、凹部２３１の径中心と筒部１５１の径中心とが一致し、凹部２３１の径中心が支持溝２３２の幅中心にある。従って、支持溝２３２に嵌め込まれた指示体２４は、糸巻き付け面の径方向にのみ位置変更可能である。支持溝２３２に指示体２４を嵌め込む構成は、指示体２４を糸巻き付け面の径方向にのみ位置変更可能とする上で簡便である。
【００３１】
（１-6）ねじ止め手段を構成するねじ２５は、基枠２３に指示体２４を止着する上で簡便な手段である。
（１-7）支持溝２３２に嵌め込まれた指示体２４は、ねじ２５を中心とした基枠２３に対する回動を阻止される。支持溝２３２に指示体２４を嵌め込む構成は、指示体２４がねじ２５を中心にして回動しないようにする上で簡便な構成である。
【００３２】
（１-8）糸巻き付け面形成体１９がねじ２１を中心にして糸巻き付け面の周方向に傾くと、正確な測長貯留量が得られない。糸係合面１９３と規制面２４２とは面接触し、糸係合面１９３と規制面２４２とが面接触した状態では糸巻き付け面形成体１９がねじ２１を中心として回動することはない。即ち、糸係合面１９３と規制面２４２とを面接触させる構成は、糸巻き付け面形成体１９がねじ２１を中心にして糸巻き付け面の周方向に傾動しないようにする。
【００３３】
（１-9）糸巻き付け面形成体１９の糸係合面１９３に傷が付くと、糸巻き付け面から引き出し解舒される緯糸Ｙの引き出し抵抗が増し、緯入れ不良を発生するおそれが高くなる。糸係合面１９３に当接する指示体２４を合成樹脂製とした構成は、指示体２４と糸係合面１９３との当接による糸係合面１９３の損傷を回避する上で有効である。
【００３４】
（１-10)ねじ２１の締め付けは、糸巻き付け面形成体１９と指示体２４とを当接した状態で長孔２４３からねじ回しを通して行える。従って、糸係合面１９３と規制面２４２との面接触を保持しておけば、糸巻き付け面形成体１９は測長貯留量調整装置２６によって規定された支持基板１５に対する被支持位置で傾くことなく支持基板１５に固定される。
【００３５】
（１-11)指示体２４の前面と基枠２３の前面とが面一であるため、目盛りＭと指示印Ｔとは同一面上にある。目盛りＭと指示印Ｔとを同一面上に設ける構成は、正確な測長貯留量調整に有効である。
【００３６】
次に、図５〜図７の第２の実施の形態を説明する。第１の実施の形態と同じ構成部には同じ符号が付してある。
図５及び図６に示すように、測長貯留量調整装置２７は、円形状の基枠２８と、基枠２８の周縁のフランジ２８１に形成された複数の支持溝２８２にそれぞれ嵌め込まれた指示体２９と、フランジ２８１の内側の凹部２８３に嵌入されたカム体３０と、基枠２８の径中心を貫通してカム体３０の径中心に螺合されるねじ３１とからなる。
【００３７】
指示体２９の基端部にはピン２９１が取り付けられている。カム体３０には複数のカム溝３０１が形成されており、カム溝３０１にはピン２９１が嵌め込まれている。ねじ３１を緩めた状態でカム体３０をねじ３１を中心にして回動すると、指示体２９がピン２９１とカム溝３０１とのカム作用によって支持溝２８２に沿って基枠２８の半径方向へ移動する。
【００３８】
図７に示すように、支持基板１５の筒部１５１は、凹部２８３に嵌合する。筒部１５１と凹部２８３とを嵌合した状態では、指示体２９の先端部の位置規制片２９２が糸巻き付け面形成体１９の糸係合面１９３に面接触可能である。位置規制片２９２は、第１の実施の形態における位置規制片２４１と同じ形状である。
【００３９】
図６に示すように、目盛りＭ１は、指示体２９の側面に設けられている。支持溝２８２とフランジ２８１の外周面との成す角Ｔ１が指示印となる。指示体２９に設けられた長孔２９３は、第１の実施の形態における長孔２４３と同じ役割を果たす。
【００４０】
第２の実施の形態では、第１の実施の形態と同様の効果が得られる。又、支持基板１５に対する複数の糸巻き付け面形成体１９の被支持位置の設定が同時に行える。
【００４１】
次に、図８の第３の実施の形態を説明する。第１の実施の形態と同じ構成部には同じ符号が付してある。
指示体２４Ａの先端部の位置規制片２４１Ａの外周面２４５は、糸巻き付け面形成体１９の測長部１９２の内周面１９５に面接触する。第３の実施の形態の測長貯留量調整装置２６Ａは、第１の実施の形態における（１-1）項、（１-2）項、（１-4）〜（１-7）項と同じ効果をもたらす。
【００４２】
次に、図９の第４の実施の形態を説明する。第１の実施の形態と同じ構成部には同じ符号が付してある。
測長貯留量調整装置３２は、円筒形状の基枠３３と、基枠３３に一体形成されたアーム片３４と、アーム片３４の先端部の折曲部に形成された孔３４１に挿通された指示体３５と、アーム片３４に螺合されて指示体３５に当接するねじ３６とからなる。基枠３３には支持基板１５の筒部１５１が嵌合される。アーム片３４は、基枠３３の半径方向に延びている。アーム片３４に形成された孔３４２は、ねじ２１を締めつける際にねじ回しを通すためのものである。ねじ３６を緩めれば、指示体３５は、アーム片３４の長さ方向に移動可能である。
【００４３】
指示体３５の先端部の位置規制片３５１は、第１の実施の形態における位置規制片２４１と同じ形状をしている。位置規制片３５１は、糸巻き付け面形成体１９の糸係合面１９３に面接触する。
【００４４】
第４の実施の形態では、第１の実施の形態における（１-1）〜（１-3）項、（１-4）〜（１-7）項と同じ効果が得られる。
本発明では以下のような実施の形態も可能である。
【００４５】
（１）第１の実施の形態において、目盛りＭを指示体２４側に設け、指示印Ｔを基枠３３側に設けること。
（２）第１の実施の形態において、ラック−ピニオン機構を用いて指示体２４を基枠２３に対して半径方向へ移動できるようにすること。この場合、ラックは指示体２４側に設けられ、ピニオンは基枠２３側に設けられる。指示体２４は、ラック−ピニオン機構におけるセルフロック作用によって基枠２３に固定される。
【００４６】
（３）第２の実施の形態において、カム溝を有するカム体の代わりにリンク機構を用いて複数の指示体２９を同時に動かせるようにすること。
前記した実施の形態から把握できる請求項記載以外の発明について以下に記載する。
【００４７】
〔１〕前記糸係合面は凸弧面であり、前記凸弧面に対する前記指示体の当接面は、前記凸弧面と面接触可能な同形の凹弧面である織機における緯糸測長貯留装置の測長貯留量調整装置。
【００４８】
〔２〕前記嵌め込み手段は、前記凸部の半径方向に沿うように前記基枠に形成された支持溝を備え、前記ねじ止め手段は、前記支持溝の溝方向に長い長孔と、前記長孔を貫通して前記支持溝の底に螺合されるねじとを備え、前記ねじの頭部が前記ねじのねじ込みによって前記指示体に当接するようにした織機における緯糸測長貯留装置の測長貯留量調整装置。
【００４９】
〔３〕前記支持部は、円板形状の支持基板と、前記支持基板の径中央部に突設された筒部とを備え、記糸巻き付け面形成体は、前記筒部の周囲の前記支持基板の前面にねじによって止着されるものであり、前記基枠の凹部は前記筒部に嵌合され、前記筒部の軸線方向に見た場合には前記ねじを透視可能な長孔が前記指示体に形成されており、前記ねじを回すためのねじ回しが前記長孔に挿通されて前記ねじが回される織機における緯糸測長貯留装置の測長貯留量調整装置。
【００５０】
〔４〕前記基枠に対する前記指示体の取り付け位置を示すための目盛りを前記基枠と前記指示体とのいずれか一方に設け、他方に指示印を設けた織機における緯糸測長貯留装置の測長貯留量調整装置。
【００５１】
【発明の効果】
以上詳述したように本発明では、支持基板の筒部に基枠を装着した状態では、糸巻き付け面形成体が指示体に当接して前記糸巻き付け面の拡径方向又は縮径方向への移動を規制されると共に、前記糸巻き付け面形成体と前記指示体との当接によって前記支持基板に対する前記糸巻き付け面形成体の被支持位置を規定するようにしたので、コストに関して有利な測長貯留量調整装置を提供し得るという優れた効果を奏する。
【図面の簡単な説明】
【図１】第１の実施の形態を示す側断面図。
【図２】正面図。
【図３】（ａ）は測長貯留量調整装置２６の正面図。（ｂ）は測長貯留量調整装置２６の背面図。
【図４】測長貯留量調整装置２６の分解斜視図。
【図５】第２の実施の形態を示す要部背面図。
【図６】測長貯留量調整装置２７の分解斜視図。
【図７】要部側断面図。
【図８】第３の実施の形態を示す要部側断面図。
【図９】第４の実施の形態を示す要部側断面図。
【符号の説明】
１５…支持部としての支持基板。１５１…凸部としての筒部。１９…糸巻き付け面形成体。１９３…糸係合面。２３，２８，３３…基枠。２３１，２８３…凹部。２３２…取り付け手段を構成する嵌め込み手段としての支持溝。２４，２４Ａ，２９，３５…指示体。２５…取り付け手段を構成するねじ止め手段としてのねじ。
【図１】
0004513239.tif 000002
【図２】
0004513239.tif 000003
【図３】
0004513239.tif 000004
【図４】
0004513239.tif 000005
【図５】
0004513239.tif 000006
【図６】
0004513239.tif 000007
【図７】
0004513239.tif 000008
【図８】
0004513239.tif 000009
【図９】
0004513239.tif 000010